(57)【要約】【課題】本発明は、部品点数を抑えた構造で、重量物の収容性ならびに整備機器の整備性を確保しながら、収容部の底壁の上面の凹凸（ひけ）を覆い隠せるグローブボックスを提供する。【解決手段】本発明は、収容部１５に形成されている点検口２４を塞ぐ整備パネル部２６に、補強用リブ２７で補強した底壁１８の上面を覆う底パネル部１９を形成した。これにより、グローブボックスの収容性及び整備性はそのままに、部品点数を抑えながら、収容部１５の底壁１８の上面に生じる凹凸Ｓ（ひけ）が覆い隠される。【選択図】      図３
2007290565.tif 000002
【特許請求の範囲】
【請求項１】
整備機器が内部に配置される合成樹脂製インストルメントパネルの外面に形成された物品入出口と、
前記インストメントパネル内に前記整備機器と隣接して形成され、前記物品出入り口から入れられた物品を収容する収容部と、
前記収容部の底壁の裏面に形成され、該底壁に重量物の収容に耐える強度を与える補強用リブと、
前記収容部のうち前記整備機器と向き合う壁部に形成され、前記物品出入り口から前記整備機器の点検を行なうための点検口と、
前記点検口に脱着可能に取り付けられた、該点検口を塞ぐ整備パネル部とを有し、
前記整備パネル部には、前記収容部の底壁の上面を覆うように配置される底パネル部が形成される
ことを特徴とするグローブボックス。
【請求項２】
前記品物出入り口を上側出入り口と下側出入り口とに仕切る仕切り部と、
前記上側出入り口および前記下側出入り口をそれぞれ開閉する扉体と、
前記上側出入り口から入れられた物品を収容する上側収容部と、前記下側出入り口から入れられた物品を収容する下側収容部とに前記収容部を仕切る仕切り部材とを備え、
前記仕切り部材は、脱着可能に取り付けられたことを特徴とする請求項１記載のグローブボックス。
【発明の詳細な説明】
【技術分野】
【０００１】
本発明は、車両のインストルメントパネルに設けられるグローブボックスに関する。
【背景技術】
【０００２】
自動車（車両）では、物品の収容スペースを確保するため、特許文献１に示されるように助手席の前方に配置されているインストルメントパネル（合成樹脂製）にグローブボックスを設けることが行なわれている。
【０００３】
グローブボックスには、物品出入り口を上部に有するはボックス形の収容容器を傾動可能に据え付けたり、インストルメントパネルの外面に物品入出口に形成し、インストルメントパネルの内部に物品入出口から入れられた物品を収容する収容部を設けたりするタイプがある。
【０００４】
ところで、インストルメントパネルの内部には、通常は全くする必要がないが、トラブルが生じたときだけ点検したり、車両の定期点検のときだけ点検したりする整備機器が配置されている。整備機器には、例えば車両各部の電気系統のヒューズが装着されたヒューズボックスやエアコンディショナーの送風用ブロアに付くフィルター部などがある。
【０００５】
こうした整備機器を点検するためには、インストルメントパネルの外面の一部に点検口を設ければよいが、インストルメントパネルの外面の大部分は、運手者など、乗車する人が日常、高い頻度で使用される各種機器で占められている。そのため、点検口を設けるための場所をインストルメントパネル上で確保するのは難しい。
【０００６】
そこで、グローブボックスが占める場所を利用して、インストルメントパネル内部の整備機器の点検を可能にした構造がある。傾動可能なボックスタイプでは、収容容器を脱着可能とすることより、整備機器の整備を可能にする構造が見られる。インストルメントパネルの内部に収容部を形成するタイプでは、整備機器と向き合う収容部の壁部、例えば収容部の奥行き側の壁部に点検口を形成し、該点検口の開口を整備パネル部で塞ぐ構造を採用して、通常時は、整備パネル部により、物品が収める場所を確保し、機器点検時は、整備パネル部を取外すと、表れる点検口を通じて、整備機器の整備を可能する構造がある。
【０００７】
ところで、近時、グローブボックスにおいては、小物だけでなく、重量の有る物品、例えば飲料水が入った市販の大形のボトルを収容させるという使い方が求められるようになってきた。
【０００８】
ところが、傾動可能なボックスタイプで行なわれる脱着構造だと、収容したボトルの重みの影響で、ボックス形の収容容器が落下するおそれがある。
【０００９】
整備パネル部を用いる構造は、収容部の壁部に開口が形成されるために、収容部の剛性強度が低下するものの、落下のおそれはない。
【００１０】
そこで、重量物の収容を可能としたグローブボックスの多くは、整備パネル部で点検口を塞ぐタイプの構造を用いつつ、収容部の剛性強度を高めることが行なわれる。これには、インストルメントパネルの厚み寸法を増加して、収容部の剛性強度を補強することが考えられるが、同補強だと、かなりインストルメントパネルの重量が増える。そのため、補強には、重量増加を抑えるために、多くは収容部の底部を形成する底壁の裏面に、複数、補強用のリブを形成して、底壁に重量物の収容に耐える強度を与えることが行なわれる。
【特許文献１】実開平３−５３３４６号公報
【発明の開示】
【発明が解決しようとする課題】
【００１１】
ところで、収容部は、物品入出口を通じて、内部が見えるので、良好な見栄えの確保が求められる。
【００１２】
ところが、合成樹脂製のインストルメントパネルは、底壁裏面に射出成形により補強用リブを形成すると、成形により、底壁の上面に波打つような凹凸（ひけ：リブを成形をする合成樹脂素材の流動が底壁の成形に影響を与えることによる）が生じやすい。同部分は、物品入出口から見えやすい部位なので、見栄えを悪くすることがある。
【００１３】
この底壁上面の凹凸を型内や成形工程中で解消するのは難しく、このため別途、部材を用いて、凹凸を隠すことが考えられるが、部品点数が増加するために、コスト的な負担が強いられる。
【００１４】
そこで、本発明の目的は、部品点数を抑えた構造で、重量物の収容性ならびに整備機器の整備性を確保しながら、収容部の底壁の上面の凹凸（ひけ）を覆い隠せるグローブボックスを提供することにある。
【課題を解決するための手段】
【００１５】
請求項１に記載の発明は、上記目的を達成するために、点検口を塞ぐ整備パネル部に、補強用リブで補強した収容部の底壁の上面を覆う底パネル部を形成した。同構成の底パネル部により、収容性及び整備性はそのままに、部品点数を抑えながら、収容部の底壁の上面に生じる凹凸（ひけ）が覆い隠されるようにした。
【００１６】
請求項２に記載の発明は、品物出入り口を上下に仕切る仕切り部と、各出入り口を開閉する扉体と、収容部を仕切る仕切部材とを備え、仕切り部材を脱着可能とした。
【発明の効果】
【００１７】
請求項１に記載の発明によれば、部品点数を抑えた構造で、収容部の底壁の上面に生じる凹凸（ひけ）を覆い隠すことができる。
【００１８】
それ故、グローブボックスは、重量物の収容ならびに整備機器の整備を可能にしながら、収容部の見栄えを確保することができる。
【００１９】
請求項２に記載の発明によれば、収容部を上下分割可能することにより利便性を向上させるとともに、仕切り部材を取り外して重量物を収容したとき、車両の加速等による重量物の車両後方への倒れこみにより扉体が開放することを仕切り部で防止することができる。
【発明を実施するための最良の形態】
【００２０】
［一実施形態］
以下、本発明を図１〜図７に示す一実施形態にもとづいて説明する。
【００２１】
図１は、車両、例えば自動車の開いた状態のグローブボックスが示され、図２は同グローブボックスの閉じた状態が示され、図３〜図７は同グローブボックスの各状態や各部構造が示されている。
【００２２】
図１および図２中１は、運転席の前方から助手席（いずれも図示しない）の前方に渡って設けられた合成樹脂製のインストルメントパネルを示している。インストルメントパネル１は、例えばフロントウインドの下縁部（図示しない）に沿って配置される上部壁２と、該上部壁２の助手席側の前方端から下方へ延びる前面壁３とを有して形成されている。このインストルメント１の内部のうち、助手席（図示しない）の奥側には、図１および図６に示されるようにトラブルが生じたときだけ点検したり、車両の定期点検のときだけ点検したりする整備機器として、例えばヒューズボックス５（車両各部の電気系統のヒューズが装着された機器：図６だけに図示）やエアコンディショナー装置（図示しない）の送風用ブロア６が配置されている。なお、図６中７は、送風用ブロア６に付いたフィルター部、８は助手席側のエアバッグ装置（図３にのみ図示）をそれぞれ示す。
【００２３】
このインストルメントパネル１のうち、例えば助手席側のパネル部分には、グローブボックス９が設けられている。
【００２４】
グローブボックス９には、図１および図３に示す断面図のようにインストルメントパネル２の外面に物品出入り口１０を形成し、内部に収容部１５を形成した構造が用いられている。具体的には、物品出入り口１０は、前面壁３の上段に形成された角形の上側出入り口１１と、前面壁３の下段に形成された角形の下側出入り口１２との上下２つから構成してある。なお、上側出入り口１１や下側出入り口１２には、同出入り口１１，１２を開閉するための上開き式の扉体１１ａ、１２ａが設けてある（図２は両扉体１１ａ，１１ｂを閉じた状態を示している）。
【００２５】
収容部１５は、図１および図３に示されるように出入り口１１，１２間を仕切る仕切り部分１３（本願の仕切り部に相当）の内側に収容空間１６を形成した構造が用いられている。具体的には、図３および図６に示されるように収容空間１６は、上側出入り口１１の上縁部からインストメントパネル１の奥側へ延びる上部壁１７と、下側出入り口１２の下縁部からインストルメントパネル１の奥側へ延びる底壁１８と、これら上部壁１７と底壁１８との側縁部間を埋める両側壁１９と、これら壁１７〜１９の先端部間を塞ぐ奥行き側の壁部２０で囲まれる部位で形成してある。この出入り口１１から出入り口１２までが有る領域を凹陥させた凹壁は、上側出入り口１１および下側出入り口１２と連通していて、それぞれ上側出入り口１１や下側出入り口１２から物品が入られるようにしてある。
【００２６】
また図１および図３に示されるように収容空間１６は、上・下側出入り口１１，１２間の地点に脱着可能に取り付けられる脱着式の器形の仕切り部材２２により、上側と下側とに仕切られる。これで、仕切り部材２２を装着したときは、図１および図３に示されるように上側出入り口１１から入れられた物品は、上側収容部をなす上側の収容空間１６ａに収容され、下側出入り口１２から入れられた物品は、下側収容部をなす下側の収容空間１６ｂに収容されるようにしている。特に器形の仕切り部材２２の採用により、図１中の二点鎖線に示されるように飲料水の入った市販の小型のボトルＱが複数本、横置きで収められるようにしている。また図４および図５に示されるように仕切り部材２２を取外すと、仕切りの無い収容空間１６を利用して、大形の物品、特に図５中の二点鎖線で示すように飲料水の入った市販の大形のボトルＰが縦置きで収容できるようにしている。
【００２７】
この収容部１５の各部を利用して、ヒューズボックス５やブロア６のフィルター部７（いずれも整備機器）の点検が行なえるようにしている。この点検構造が図６および図７に示されている。
【００２８】
同点検構造を説明すると、収容空間１６を囲う壁１７〜２０のうち、ヒューズボックス５やブロア６のフィルター部７（いずれも整備機器）と向き合う奥側の壁部２０には、同機器を点検するための点検口２４が形成されている。同点検口２４は、例えば両側を若干残して、下側出入り口１２と対向する壁部２０の中段から最下部までの板面部分と、それに続く底壁１８の奥行き側の若干の板面部分とを切り欠いて形成される。この点検口２４は、整備パネル部２６により、出入り口側から脱着可能に塞いであり、通常時では使用されない部分を通じて、ヒューズボックス５やブロア６の点検を行なえるようにしている。
【００２９】
ここで、点検口２４の形成により、低下する収容部１５の剛性強度は、図６および図７に示されるように底壁１８の裏面に形成された補強用の大小複数のリブ２７により高めてある。これらのリブ２７により、底壁１８に対して、重量物の収容、ここでは飲料水の入った大形のボトルＰを複数本、収容するのに十分に耐える剛性強度を与えている。つまり、点検口２４が有っても、大形のボトルＰの収容が行なえるようにしている。
【００３０】
上記整備パネル部２６は、図３および図６に示されるように点検口２４を塞ぐのに適した大きさ、具体的には高さ寸法は点検口２４の高さ寸法より大きく、幅寸法は収容部１５の幅方向の全体を占めるような大きさのパネル部で形成してある。この整備パネル部２６の下端部からは、例えば底パネル部２９が下側出入り口１２側に向かって張り出ている。同パネル部２９は、底壁１８のほぼ全体を占めるような大きさのパネル部から形成されている。これで、同パネル部２９により、リブ２７で補強された底壁１８の上面の大部分が覆えるようにしている。また図３に示されるように整備パネル部２６の上端部には、例えば点検口２４の上縁部に設けた係止プレート３０と係脱可能な係止溝３１をもつ受部３２が形成されていて、係止溝３１を係止プレート３０の下端部と係合させながら、底パネル部２９を底壁１８の上面に重ね合わせると、整備パネル部２６が点検口２４を塞ぐ地点に位置決め固定される。と共に底パネル部２９が、底壁１９の上面を覆う状態に位置決め固定される構造にしてある。また図１、図３、図６および図７に示されるように整備パネル部２６と底パネル部２９との両側縁間は、収容部１５の両側壁１９の内面に沿って配置された一対の側パネル部３４で連結されている。整備パネル部２６および底パネル部２９は、収容部１５の幅方向を占める大きさを有しているから、各部の組み合わせから、収容部１５の両側の内面をガイドとした引き出し可能なスライド部品が構成される。これにより、スライド部品は、収容部１５の両側壁１９の内面をガイドとして、収容部１５の奥側へスライドさせながら差し込んだ後、係止溝３１を係止プレート３０に係止させる回動操作を行なうと、それぞれ所定の位置、すなわち整備パネル部２６は点検口２４を塞ぐ地点、底パネル部２９は底壁１８と重なり合う地点に位置決められる。反対の操作を行なうと、収容部１５の点検口２４から取外せるようにしてある。特に図４および図６に示されるように下側出入り口１２が、収容部１５の前方の地点に有ること、さらに収容部１５の形状に合わせた角形形状に形成してあることにより、スライド部品は、収容部１５内からそのまま、下側出入り口１２から収容部１５外へ引き出させるようにしている。なお、器形の仕切り部材２２には、係止プレート３０の一部を利用して係止される構造が採用してある。
【００３１】
このように構成されたグローブボックスによると、たとえ底壁１８を補強するリブ２７により、図７に示されるように底壁１８の上面に凹凸Ｓ（ひけ）が生じていたとしても、通常時は、図３に示されるように点検口２４を塞ぐ整備パネル部２６から延びている底パネル部２９で、上側から覆い隠されるから、ブローブボックスの利用時、下側出入り口１２から凹凸Ｓが目視されずにすむ（２重底構造による）。
【００３２】
むろん、点検口２４の形成に伴う収容部１５の剛性強度の低下は、補強用のリブ２７により確保されているから、重量物の収容が行なえる。例えば飲料水の入った大形のボトルＰであれば、図５に示されるように器形の仕切り部材２２を取外してから、上側出入り口１１から、同ボトルＰを差し入れ、上・下側出入り口１１，１２間の仕切り部分１３をガイドとして、底壁１８上に縦置きすればよい。
【００３３】
整備機器を点検するときは、収容部１５の下部に収容されている物品を取り出してから、
底パネル部１９の先端部を指先で、図４中の二点鎖線に示されるように持ち上げ、スライド部品を起こす。そして、同部分をつまんで、そのまま前方へスライドさせながら、下側出入り口１２から外部へ引き出す。これにより、点検口２４が開放して、整備機器となるヒューズボックス５やブロア６の整備個所が収容部１５内に露呈するので、点検口２４を通じて、必要な点検や整備を行なえばよい。
【００３４】
したがって、グローブボックス９は、整備パネル部２６に底パネル部２９を形成するという部品点数を抑えた構造で、重量物の収容性ならびに整備機器の整備性を確保しながら、底壁１９の上面に生じる凹凸Ｓ（ひけ）を覆い隠すことができる。
【００３５】
特に整備パネル部２６および底パネル部２９は、側パネル部３４と組み合って、収容部１５の内面をガイドとして、下側出入り口１２から引き出せるスライド部品としてあるので、底パネル部２９が形成されていても、違和感なく良好に取り扱える。そのうえ、整備パネル部２６、底パネル部２９および側パネル部３４がもたらす立体形状により、収容部１５の剛性強度が高められる利点もある。
【００３６】
また、車両の加速等により重量物が車両後方即ち扉体１１ａ，１２ａ側に倒れ込むことが考えられる。この場合、重量物により扉体１１ａ、１２ａが開くことが懸念されるが、仕切り部分１３（仕切り部）の存在により重量物の倒れ込みを防止することができるため、重量物による扉体１１ａ，１２ａの開放が抑制できる。
【００３７】
なお、本発明は上述した一実施形態に限定されるものではなく、本発明の主旨を逸脱しない範囲内で種々可変して実施しても構わない。例えば一実施形態では、整備機器としてヒューズボックス、ブロアを挙げたが、これに限らず、他の機器でもよい。
【図面の簡単な説明】
【００３８】
【図１】本発明の一実施形態に係るインストルメントに組み込まれたグローブボックスの外観を、開いた状態と共に示す斜視図。
【図２】同じく閉じた状態を示す斜視図。
【図３】図１中のグローブボックスのＡ−Ａ線に沿う断面図。
【図４】同グローブボックスの仕切り部材、整備パネル部を取外したときを示す断面図。
【図５】グローブボックスに大形のボトルを収容するときを示す斜視図。
【図６】グローブボックス内を通じて整備機器を点検するときを示す斜視図。
【図７】図６中のＡ部の構造を詳細に示す斜視図。
【符号の説明】
【００３９】
１…インストルメントパネル、５，６…ヒューズボックス，ブロア（整備機器）、９…グローブボックス、１１，１２…上側出入り口，下側出入り口（物品出入り口）、１１ａ，１２ａ…扉体、１３…仕切り部分（仕切り部）、１５…収容部、１６ａ…上側の収容空間（上側収容部）、１６ｂ…下側の収容空間（下側収容部）、１８…底壁、２２…仕切り部材、２４…点検口、２６…整備パネル部、２７…補強用リブ、１９…底パネル部、３４…側パネル部、Ｓ…凹凸、Ｐ…ボトル（物品）。
【図１】
2007290565.tif 000003
【図２】
2007290565.tif 000004
【図３】
2007290565.tif 000005
【図４】
2007290565.tif 000006
【図５】
2007290565.tif 000007
【図６】
2007290565.tif 000008
【図７】
2007290565.tif 000009